(57)【要約】【課題】被服類のインターネットや通信販売雑誌などを用いた購買形態の普及に伴い、現実の被服を着ることなく、該被服の購入を希望する人が増加している。そのため、あたかも現実の被服を装着したと同様にその適合性を確認する機能を情報通信端末上で実現することが必要となっていた。【解決手段】本発明に係る被服適合性表示装置（３）によれば、現実の被服を着ることなく、該被服の購入を希望する人があたかも現実の被服を装着したと同様に被服基本デザインの幾何学的寸法（１）と身体の幾何学的寸法（２）との適合性を確認することができるために、容易にその適合性を見ることができ、又、該被服の販売者も実際の被服と試着のための空間及び要員を配備する必要がないため、各種の費用の増加を極力軽減することが可能となる。【選択図】図１
2014093067.tif 000002
【特許請求の範囲】
【請求項１】
被服基本デザインの幾何学的寸法（１）を複数種類保有する記憶部分と人の身体の幾何学的寸法（２）を入力し、かつ保持する記憶部分とを持ち、該入力された身体の幾何学的寸法（２）と該被服の幾何学的寸法（１）の記憶部分から選択された該被服の幾何学的寸法とを比較し、該比較の差分（４）を表示装置（３）に表示する機能を有することを特徴とする被服適合性表示装置。
【請求項２】
被服基本デザインの幾何学的寸法に付属して該寸法の各々に対しての余裕度（１ａ）を保有し、該入力された身体の幾何学的寸法（２）に対する該被服の幾何学的寸法を該余裕度とを含めて比較し、該比較の差分（５）を表示装置（３）に表示する機能を有する請求項１に記載の被服適合性表示装置。
【請求項３】
該入力される身体の幾何学的寸法がコンピュータ（７）に付属した画像撮影装置（カメラ）（６）からの画像入力により為される請求項１又は２に記載の被服適合性表示装置。
【請求項４】
該入力される身体の幾何学的寸法が携帯電話（８）などの携帯端末に付属した画像撮影装置（カメラ）（６ａ）からの画像入力により為される請求項１又は２に記載の被服適合性表示装置。
【請求項５】
請求項２及び請求項４において該入力される画像撮影装置（カメラ）（６）からの画像入力として正面、側面及び背面からの画像入力により為される請求項１又は２に記載の被服適合性表示装置。
【請求項６】
該画像情報が正面、側面及び背面から入力された画像から採寸された身体の幾何学的寸法から身体の構成模型を生成する機能を有し、該身体の幾何学的寸法と合わせて該被服デザイン画像を有する情報処理装置において、該身体模型と該被服デザイン及び幾何学的寸法からの立体的画像を合成して身体立体モデル（正面）（１０）、身体立体モデル（側面）（１０ａ）及び身体立体モデル（背面）（１０ｂ）とし、該身体模型（１０、１０ａ，１０ｂ）と該被服デザイン幾何学的寸法（１）との整合性を表示装置（３）に表示する機能を有する請求項１又は２に記載の被服適合性表示装置。
【発明の詳細な説明】
【技術分野】
【０００１】本発明は、被服を購入する際に行う試着をせずに、該被服が購入希望者の希望のスタイルにフィットしているかを判断するために、該購入希望者の身体寸法と該被服のデザイン寸法とを比較し、表示装置にその適用度合を表示させる装置に関するものである。
【背景技術】
【０００２】被服の購入希望者は希望の被服が該購入希望者のスタイルにフィットしているかを判断するために、通常は店舗において試着を行って見るのが一般的であった。しかし、インターネットや通信販売の拡大で該購入希望者は店舗に赴かずに該購入希望者のスタイルにフィットしているかを判断しなければならない場合が多く、該購入希望者が購入を行った後の不具合が多く生じていた。そのため、購入する前にスタイルのフィットを確認する必要があった。【０００３】  従来、プリントクラブのように固定の被服画板と人の顔写真を合成させるもの（例えば、特開２００１−３５２５０５号公報）がある。また、人体の立体画像を表示させるもの（例えば、特開２００１−３１２７４３号公報）がある。
【先行技術文献】
【特許文献】
【０００４】
【特許文献１】特開２００１−３５２５０５
【特許文献２】特開２００１−３１２７４３
【発明の概要】
【発明が解決しようとする課題】
【０００５】特許文献１は固定の画板画像と撮影した顔画像を組合せて表示されるだけのもので、特許文献２は固定の画像情報をそのデータに従って表示させるだけのものであり、顔画像のサイズに合わせて被服画像を拡大あるいは縮小するものとはなっていない。【０００６】本発明は、この課題を実現するために、情報処理機能を有する画像表示装置により、現実の被服を着ることなく、該被服の購入を希望する人があたかも現実の被服を装着したと同様の寸法適合性の度合を表示することができる表示装置を提供することにある。
【課題を解決するための手段】
【０００７】（請求項１）被服基本デザインの幾何学的寸法を複数種類保有する記憶部分と人の身体の幾何学的寸法を入力し、かつ保持する記憶部分とを持ち、該入力された身体の幾何学的寸法と該被服の幾何学的寸法の記憶部分から選択された該被服の幾何学的寸法とを比較し、該比較の差分を表示する機能を包含している。【０００８】（請求項２）被服基本デザインの幾何学的寸法に付属して該寸法の各々に対しての余裕度を保有し、該入力された身体の幾何学的寸法に対する該被服の幾何学的寸法を該余裕度とを含めて比較することで、該比較の差分を表示することが可能となる。【０００９】（請求項３）該入力される身体の幾何学的寸法はコンピュータに付属したカメラからの画像入力により為されてもよい。【００１０】（請求項４）該入力される身体の幾何学的寸法は携帯電話などの携帯端末に付属したカメラからの画像入力により為されてもよい。【００１１】（請求項５）該入力されるカメラからの画像入力として正面、側面及び背面からの画像入力より為されてもよい。【００１２】（請求項６）該画像情報が正面、側面及び背面から入力された画像から採寸された身体の幾何学的寸法から身体の構成模型を生成する機能を有していてよい。こうすることで、該身体模型と該被服デザイン及び幾何学的寸法からの立体的画像を合成して表示することが可能となる。
【発明の効果】
【００１３】（請求項１）本発明に係る被服適合性表示装置によれば、現実の被服を着ることなく、該被服の購入を希望する人があたかも現実の被服を装着したと同様にその適合性を確認することができるため、容易にその適合性を見ることができる。又、該被服の販売者も実際の被服と試着のための空間及び要員を配備する必要がないため、各種の費用の増加を極力軽減することが可能となる。【００１４】請求項２によれば、被服基本デザインの幾何学的寸法の該寸法の各々に対して余裕度を保有することで、別途入力された身体の幾何学的寸法に対する該被服の幾何学的寸法を該余裕度とを含めて比較することで、該比較の差分を表示することが可能となる。【００１５】請求項３によれば、身体の幾何学的寸法は入力せず、コンピュータに付属したカメラからの画像入力により為されてもよい。これにより、身体の幾何学的寸法を入力することなく、自動的に採寸されるため、該被服の幾何学的寸法を該寸法の余裕度と自動的に比較することが可能となる。【００１６】請求項４によれば、該入力される身体の幾何学的寸法は携帯電話などの携帯端末に付属したカメラからの画像入力により為されてもよい。これにより、身体の幾何学的寸法を入力することなく、自動的に採寸されるため、該被服の幾何学的寸法を該寸法の余裕度と自動的に比較することが可能となる。【００１７】請求項５によれば、該入力されるカメラからの画像入力として正面、側面及び背面からの画像入力より為されてもよい。こうすることで、画像入力されたデータから作られる身体模型と被服デザインの立体的な幾何学的寸法とを用いて立体的画像を合成することが可能となる。【００１８】請求項６によれば、該画像情報が正面、側面及び背面から入力された画像から採寸された身体の幾何学的寸法から身体の構成模型を生成する機能を有していてよい。こうすることで、該身体模型と該被服デザイン及び幾何学的寸法からの立体的画像を合成して表示することが可能となり、該被服基本デザインの幾何学的寸法と被服の適合性を調べようとする人間の幾何学的寸法とをあたかも試着したかのように適合性の検査を行うことが可能となる。
【図面の簡単な説明】
【００１９】
【図１】入力された身体幾何学寸法と対象の被服基本デザインの幾何学的寸法との整合具合の表示を示す概念図
【図２】入力された身体幾何学寸法と対象の被服基本デザインの幾何学的寸法との差分の表示を示す概念図
【図３】身体幾何学寸法を計測するためのコンピュータ上の画像撮影装置（カメラ）
【図４】身体幾何学寸法を計測するための携帯電話機上の画像撮影装置（カメラ）
【図５】カメラからの身体の正面、側面及び背面からの撮影の概念図
【図６】カメラからの身体の正面、側面及び背面から撮影された身体の幾何学的寸法から生成される身体立体モデルの概念図
【発明を実施するための形態】
【００２０】以下に、この発明の実施の形態を、図面を参照して、説明する。
（請求項１）図１で、本発明に係る被服適合性表示装置は、あらかじめ記憶されている被服基本デザインの幾何学的寸法１と被服の適合性を調べようとする人間が入力する身体の幾何学的寸法２と該被服基本デザインの幾何学的寸法１と被服の適合性をしらべようとする人間が入力する該身体の幾何学的寸法２との比較データである比較表示情報４を表示する被服適合性表示装置３から成っている。
【００２１】（請求項２）図２で、あらかじめ記憶されている被服基本デザインの幾何学的寸法１と被服の適合性をしらべようとする人間が入力する身体の幾何学的寸法２と該被服基本デザインの幾何学的寸法の余裕度１ａと被服の適合性を調べようとする人間が入力する該身体の幾何学的寸法２との比較から寸法の余裕度の数値データである余裕度表示情報５を表示することが可能となる。
【００２２】（請求項３）図３で、適合性を調べようとする人間が該身体の幾何学的寸法を入力する代わりにコンピュータ７に備え付けられた画像撮影装置６を用いて入力することが可能である。
【００２３】（請求項４）図４で、適合性を調べようとする人間が該身体の幾何学的寸法を入力する代わりに携帯電話８に備え付けられた画像撮影装置６ａを用いて入力することもできる。
【００２４】（請求項５）図５で、適合性を調べようとする人間が該身体の幾何学的寸法を入力する代わりにコンピュータ７に備え付けられた画像撮影装置６を用いて入力する場合に該人間の正面、側面及び背面から撮影することができる。
【００２５】（請求項６）図６で、適合性を調べようとする人間が該身体の幾何学的寸法を入力する代わりにコンピュータ７に備え付けられた画像撮影装置６を用いて撮影された該人間の正面、側面及び背面の情報から身体立体モデル（正面）１０、身体立体モデル（側面）１０ａ及び身体立体モデル（背面）１０ｂを生成することができ、これらを用いて適合性の検査を行うことが可能となる。
【実施例】
【００２６】  図１は本発明に係る該被服適合性表示装置の動作手順を示したものである。【００２７】被服の適合性を調べようとする人間が入力した身体の幾何学的寸法２とあらかじめ記憶されている被服基本デザインの幾何学的寸法１とをコンピュータ上で比較し、該被服基本デザインの幾何学的寸法１と該身体の幾何学的寸法２との比較データを比較表示情報４として表示する。
【符号の説明】
【００２８】１      被服基本デザインの幾何学的寸法データ
１ａ    被服基本デザインの幾何学的寸法データの余裕度データ
２      身体の幾何学的寸法
３      被服適合性表示装置
４      比較表示情報
５      余裕度表示情報
６      画像撮影装置
６ａ    画像撮影装置
７      コンピュータ
８      携帯電話
９      対象人間
１０    身体立体モデル（正面）
１０ａ  身体立体モデル（側面）
１０ｂ  身体立体モデル（背面）
【図１】
2014093067.tif 000003
【図２】
2014093067.tif 000004
【図３】
2014093067.tif 000005
【図４】
2014093067.tif 000006
【図５】
2014093067.tif 000007
【図６】
2014093067.tif 000008